(57)【要約】【課題】複数のコマンドに対応したリモコンコードを含むリモコン信号を、簡単にナビゲーションシステムに送信する電話機を提供する。【解決手段】ナビゲーション制御システム１は、数字で特定することができる検索項目に基づいて位置検索を行うためのリモコンコードの配列を有するナビゲーション制御マクロを作成する第１制御部と、ナビゲーション制御マクロにおけるリモコンコードの配列に基づいてリモコン信号を順次送信する送信部とを有する送信側電話機１００と、リモコン信号を受信するリモコン受信部２３０と、受信したリモコン信号に基づいて位置検索を行う第２制御部とを有する受信側ナビゲーションシステム２００とを備える。【選択図】図１
2007166503.tif 000002
【特許請求の範囲】
【請求項１】
数字で特定することができる検索項目に基づいて位置検索を行うためのリモコンコードの配列を有するナビゲーション制御マクロを作成する第１制御部と、前記ナビゲーション制御マクロにおけるリモコンコードの配列に基づいてリモコン信号を順次送信する送信部とを有する送信側電話機と、
前記リモコン信号を受信するリモコン受信部と、前記受信したリモコン信号に基づいて前記位置検索を行う第２制御部とを有する受信側ナビゲーションシステムとを備えるナビゲーション制御システム。
【請求項２】
前記検索項目は、電話番号、緯度経度情報、及び郵便番号のいずれかであることを特徴とする請求項１に記載のナビゲーション制御システム。
【請求項３】
前記送信側電話機は、前記ナビゲーション制御マクロを記録する記録部を有し、
前記送信部は、前記記録部に記録されたナビゲーション制御マクロにおけるリモコンコードの配列に基づいてリモコン信号を順次送信することを特徴とする請求項１に記載のナビゲーション制御システム。
【請求項４】
前記リモコン信号の送信時の各リモコンコードに対応するリモコン信号の送信の間に、前記第２制御部の処理能力に合わせたインターバルが設けられることを特徴とする請求項１に記載のナビゲーション制御システム。
【請求項５】
前記送信側電話機は、前記検索項目に対応したデータを有するバーコード、及びテキストの少なくとも一方を撮像する撮像部を有し、
前記第１制御部は、前記撮像部により撮像された内容に基づいて前記ナビゲーション制御マクロを作成することを特徴とする請求項１に記載のナビゲーション制御システム。
【請求項６】
前記第１制御部は、前記検索項目に対応したデータを有するメール及び電話帳の内容に基づいて前記ナビゲーション制御マクロを作成することを特徴とする請求項１に記載のナビゲーション制御システム。
【請求項７】
数字で特定できる検索項目に基づいて受信側ナビゲーションシステムが位置検索を行うためのリモコンコードの配列を有するナビゲーション制御マクロを作成する制御部と、
前記ナビゲーション制御マクロにおけるリモコンコードの配列に基づいてリモコン信号を前記受信側ナビゲーションシステムに送信する送信部とを備える送信側電話機。
【請求項８】
数字で特定できる検索項目に基づいて受信側ナビゲーションシステムが位置検索を行うためのリモコンコードの配列を有するナビゲーション制御マクロを作成し、前記ナビゲーション制御マクロにおけるリモコンコードの配列に基づいてリモコン信号を前記受信側ナビゲーションシステムに送信する送信側電話機にインストールされたナビゲーション制御プログラム。
【発明の詳細な説明】
【技術分野】
【０００１】
本発明は、電話機に関し、特にナビゲーションシステムの位置検索を行う電話機に関する。
【背景技術】
【０００２】
電器製品を操作するためのリモコン信号を発信することが出来る携帯電話機が提案されている。
【０００３】
特許文献１は、リモコン用パルスコードを生成し、パルスコードに基づく搬送波（リモコン信号）を送出する赤外線発光部を有する携帯電話機を開示する。テレビのチャンネル操作など１つのコマンドに対応したリモコン信号を、電器製品が有する付属のリモコンの代わりに送信する場合に有効である。
【特許文献１】特開２００３−２６４６１２号公報
【発明の開示】
【発明が解決しようとする課題】
【０００４】
しかし、特許文献１の装置は、複数のコマンドに対応したリモコンコードを含むリモコン信号を送る場合、複数のコマンド毎にリモコン信号を送る必要がある。従って、ナビゲーションシステムの位置検索操作のように、メニュー階層に沿って複数のコマンドに対応したリモコン信号を送信する場合には、ナビゲーションシステムに付属しているリモコンと同じように、メニュー階層毎のコマンドに対応するリモコン信号を送るための操作を行う必要があり、操作性は改善されない。
【０００５】
したがって本発明の目的は、複数のコマンドに対応したリモコンコードを含むリモコン信号を、簡単にナビゲーションシステムに送信する電話機を提供することである。
【課題を解決するための手段】
【０００６】
本発明に係るナビゲーション制御システムは、数字で特定することができる検索項目に基づいて位置検索を行うためのリモコンコードの配列を有するナビゲーション制御マクロを作成する第１制御部と、ナビゲーション制御マクロにおけるリモコンコードの配列に基づいてリモコン信号を順次送信する送信部とを有する送信側電話機と、リモコン信号を受信するリモコン受信部と、受信したリモコン信号に基づいて位置検索を行う第２制御部とを有する受信側ナビゲーションシステムとを備える。
【０００７】
好ましくは、検索項目は、電話番号、緯度経度情報、及び郵便番号のいずれかである。
【０００８】
また、好ましくは、送信側電話機は、ナビゲーション制御マクロを記録する記録部を有し、送信部は、記録部に記録されたナビゲーション制御マクロにおけるリモコンコードの配列に基づいてリモコン信号を順次送信する。
【０００９】
また、好ましくは、リモコン信号の送信時の各リモコンコードに対応するリモコン信号の送信の間に、第２制御部の処理能力に合わせたインターバルが設けられる。
【００１０】
また、好ましくは、送信側電話機は、検索項目に対応したデータを有するバーコード、及びテキストの少なくとも一方を撮像する撮像部を有し、第１制御部は、撮像部により撮像された内容に基づいてナビゲーション制御マクロを作成する。
【００１１】
また、好ましくは、第１制御部は、検索項目に対応したデータを有するメール及び電話帳の内容に基づいてナビゲーション制御マクロを作成する。
【００１２】
本発明に係る送信側電話機は、数字で特定できる検索項目に基づいて受信側ナビゲーションシステムが位置検索を行うためのリモコンコードの配列を有するナビゲーション制御マクロを作成する制御部と、ナビゲーション制御マクロにおけるリモコンコードの配列に基づいてリモコン信号を受信側ナビゲーションシステムに送信する送信部とを備える。
【００１３】
本発明に係るナビゲーション制御プログラムは、数字で特定できる検索項目に基づいて受信側ナビゲーションシステムが位置検索を行うためのリモコンコードの配列を有するナビゲーション制御マクロを作成し、ナビゲーション制御マクロにおけるリモコンコードの配列に基づいてリモコン信号を受信側ナビゲーションシステムに送信する送信側電話機にインストールされる。
【発明の効果】
【００１４】
以上のように本発明によれば、複数のコマンドに対応したリモコンコードを含むリモコン信号を、簡単にナビゲーションシステムに送信する電話機を提供することができる。
【発明を実施するための最良の形態】
【００１５】
以下、本実施形態について、図を用いて説明する。本実施形態におけるナビゲーション制御システム１は、送信側電話機１００、及び受信側ナビゲーションシステム２００とを備える（図１参照）。
【００１６】
送信側電話機１００は、第１操作部１１０、記録部１２０、送信部１３０、第１表示部１４０、撮像部１５０、及び第１制御部１９０を有する（図２参照）。
【００１７】
受信側ナビゲーションシステム２００は、第２操作部２１０、計測部２２０、リモコン受信部２３０、第２表示部２４０、及び第２制御部２９０を有する（図２参照）。
【００１８】
第１操作部１１０は、電話番号などを入力するテンキーなどの入力手段である。第１送信側電話機１００の使用者が第１操作部１１０を操作することによって、電話番号の入力、発信指示の他、受信側ナビゲーションシステム２００へのリモコン信号送信のための操作が行われる。
【００１９】
第１操作部１１０は、使用者の選択により、送信側電話機１００の使用モードを、ナビゲーション制御モードと、通常操作モードとで切り替えを行う。ナビゲーション制御モードへの切り替えは、記録部１２０にインストールされたナビゲーション制御プログラムが起動されることによって行われ（図３参照）、通常操作モードへの切り替えは、ナビゲーション制御プログラムの動作が終了されることによって行われる（図４参照）。
【００２０】
記録部１２０は、電話番号または緯度経度情報を受信側ナビゲーションシステム２００へ送信するためのリモコンコードの配列を有するナビゲーション制御マクロを記録する。電話番号、及び緯度経度情報は、電話帳データとして記録されるか、又はメールなどの本文に含まれるデータとして記録される。
【００２１】
記録部１２０には、ナビゲーション制御プログラムがインストールされる。ナビゲーション制御プログラムは、送信側電話機１００で動作可能なソフトウエアで、第１制御部１９０を介して、後述するナビゲーション制御マクロを作成し、これに基づいたリモコン信号を送信する機能を有する。ナビゲーション制御プログラムは、インストールする電話機の機種毎又は製造元毎に異なる。
【００２２】
記録部１２０は、受信側ナビゲーションシステム２００の通信プロトコル（リモコンコードに関するデータを記録する。通信プロトコルは、リモコンコードとコマンド内容の対応、位置検索のために電話番号や緯度経度情報を入力するコマンド手順を含み、ナビゲーションシステムの機種毎、又は製造元毎に異なる。リモコン信号を送信する受信側ナビゲーションシステム２００の機種または製造元に合わせて通信プロトコルに関するデータが用意される。
【００２３】
ナビゲーション制御プログラムのインストール時などに、総てのナビゲーションシステムに対応する通信プロトコルに関するデータを記録してもよいし、記録部１２０の容量に合わせてリモコン信号を送信する機種又は製造元に対応したナビゲーションシステムの通信プロトコルに関するデータだけを記録してもよい。
【００２４】
ナビゲーション制御プログラムの実行ファイル、及び受信側ナビゲーションシステム２００の通信プロトコルに関するデータファイルは、これらを予め格納しておいたサーバ（不図示）からダウンロード可能である。特に通信プロトコルに関するデータファイルは、リモコン信号を送信するナビゲーションシステムの機種毎又は製造元毎にサーバからダウンロード可能である。これにより、使用者の自家用車に取り付けられたナビゲーションシステムに対応する通信プロトコルに関するデータは予め記録部１２０に記録しておくが、タクシーなどに取り付けられたナビゲーションに対応する通信プロトコルに関するデータはナビゲーション制御マクロ作成時にインターネットなどを介してダウンロードする使用形態が可能になる。
【００２５】
記録部１２０は、送信側電話機１００に内蔵された記録媒体でもよいし、送信側電話機１００から着脱可能な記録媒体であってもよい。
【００２６】
送信部１３０は、記録部１２０に記録されたナビゲーション制御マクロが有するリモコンコードの配列順に、リモコン信号を受信側ナビゲーションシステム２００のリモコン受信部２３０に送信する。
【００２７】
第１表示部１４０は、第１操作部１１０による操作状況、受信側ナビゲーションシステム２００へのナビゲーション制御マクロ作成時の操作状況などを表示する。図１の第１表示部１４０は、電話番号（０３−１２３４−５６７８）を使って電話番号検索をするためのリモコン信号を順次送信している状態を示す。
【００２８】
撮像部１５０は、撮像素子を有し、第１制御部１９０の制御の下で電話番号又は緯度経度情報を有するデータの撮像を行う。電話番号又は緯度経度情報を有するデータは、撮像部１５０で読み取り可能なバーコード、二次元バーコード、またはテキストで構成される。
【００２９】
第１制御部１９０は、送信側電話機１００の各部の制御を行う。送信側電話機１００がナビゲーション制御モードの場合、第１制御部１９０は、ナビゲーション制御マクロを作成し記録部１２０に記録する。ナビゲーション制御マクロは、電話番号、又は緯度経度情報に基づいて、受信側ナビゲーションシステム２００における行き先設定、経由地設定、及びポイント登録のいずれかを行うための位置検索（電話番号検索、緯度経度検索）を行うリモコンコードの配列を有する。第１制御部１９０は、ナビゲーション制御マクロに基づく手順でリモコン信号を、送信部１３０を介して、受信側ナビゲーションシステム２００のリモコン受信部２３０に送信する。
【００３０】
ナビゲーション制御マクロは、受信側ナビゲーションシステム２００に対応する通信プロトコルに関するデータに基づいて作成される。例えば、位置検索を行うナビゲーション制御マクロは、受信側ナビゲーションシステム２００における第２表示部２４０の画面上にメニュー画面を表示させるリモコンコード、メニュー画面内のコマンドの中から行き先設定を選択するリモコンコード、行き先設定画面内の電話番号検索（又は緯度経度検索）を選択するリモコンコード、及び行き先として設定したい電話番号（又は緯度経度）に対応したリモコンコードを有する。各リモコンコードに対応するリモコン信号の送信の間には、受信側ナビゲーションシステム２００の第２制御部２９０の処理能力に合わせた一定時間のインターバルが設けられる。
【００３１】
また、受信側ナビゲーションシステム２００が、“０”に対応するリモコンコードを含むリモコン信号を送信すると強制的に電話番号入力画面に切り替えられる機能を有する場合は、電話番号検索を行うナビゲーション制御マクロは、行き先として入力したい電話番号を入力するリモコンコードを有するだけで十分である。
【００３２】
ナビゲーション制御マクロの作成の為に利用される電話番号又は緯度経度情報は、記録部１２０に記録された電話番号及び緯度経度情報を読み出しすることにより得られるか、電話番号又は緯度経度情報を有するデータを撮像部１５０によって撮像することにより得られる。
【００３３】
第２操作部２１０は、リモートコントローラなど使用者の操作によりコマンドに対応するリモコンコードを含むリモコン信号を、リモコン受信部２３０を介して、第２制御部２９０に送信する装置である。
【００３４】
計測部２２０は、ＧＰＳ、角速度センサなど自車位置を計測する装置である。リモコン受信部２３０は、送信側電話機１００の送信部１３０、及び受信側ナビゲーションシステム２００の第２操作部２１０からのリモコン信号を受信する。
【００３５】
第２表示部２４０は、自車位置計測情報に基づいて、地図上に自車位置を表示する。第２表示部２４０は、送信側電話機１００の送信部１３０から送られたリモコン信号により、電話番号または緯度経度情報に基づいて検索状態や検索結果（地図）を表示する。図１の第２表示部２４０は、検索状態の一例として、電話番号（０３−１２３４−５６７８）を使って電話番号検索をするためのリモコン信号の受信中で、最初の“０”に対応するリモコンコードから四桁目の“２”に対応するリモコンコードまでを含むリモコン信号を受信した状態を示す。
【００３６】
第２制御部２９０は、受信側ナビゲーションシステム２００の各部を制御する。
【００３７】
送信側電話機１００においてナビゲーション制御マクロを作成し、ナビゲーション制御マクロが有するリモコンコードの配列に従ってリモコン信号を受信側ナビゲーションシステム２００に送信する手順を図３のフローチャートを使って説明する。
【００３８】
ステップＳ１１で、開始されると、ステップＳ１２で、使用者が第１操作部１１０を操作することにより記録部１２０にインストールされたナビゲーション制御プログラムが起動される。ステップＳ１３で、ソース選択、すなわちナビゲーション制御マクロを使って送信する電話番号又は緯度経度情報を入手する手段が選択される。選択肢は、撮像部１５０が送信側電話機１００外にあるバーコード等のデータを撮像し、第１制御部１９０が撮像したデータを読み取りすることにより電話番号又は緯度経度情報が入手されるか、第１制御部１９０がメールや電話帳が有する内容を読み取りすることにより電話番号又は緯度経度情報が入手されるかである。ソース選択は、使用者が第１操作部１１０を操作することにより行われる。
【００３９】
複数の受信側ナビゲーションシステムに対応して、通信プロトコルに関するデータを送信側電話機１００において記録している場合は、ソース選択時などにおいて、いずれの受信側ナビゲーションシステムに対して送信を行うか、すなわちいずれの通信プロトコルに関するデータを使用するかが使用者によって選択される。
【００４０】
ステップＳ１４で、撮像部１５０を使ってバーコード等のデータを撮像する必要が有るか否かが判断される。ステップＳ１３において、撮像部１５０が送信側電話機１００外にあるデータを撮像し、第１制御部１９０が撮像したデータを読み取りすることにより電話番号又は緯度経度情報を入手する選択がされた場合は、ステップＳ１４において撮像部１５０が必要と判断され、ステップＳ１５で撮像部１５０が起動される。このとき、撮像部１５０の起動の為に、送信側電話機１００を所定のスタイル（例：ムービースタイル）に変更することを指示する表示が第１表示部１４０にされてもよい。
【００４１】
ステップＳ１３において、第１制御部１９０がメールや電話帳が有する内容を読み取りすることにより電話番号又は緯度経度情報を入手する選択がされた場合は、ステップＳ１４において撮像部１５０が不要と判断され、ステップＳ１６に進められる。ステップＳ１６で、使用者が第１操作部１１０を操作することによりメールや電話帳が有する内容から読み取りを行う部分が選択され、第１制御部１９０により選択された部分から電話番号又は緯度経度情報が読み取りされる。また、電話番号などは、第１操作部１１０を使って直接入力してもよい。その後、ステップＳ２１に進められる。
【００４２】
ステップＳ１５の後、ステップＳ１７で、送信側電話機１００が、第１操作部１１０が有する撮像動作を行うキーの入力待ち状態にされる。ステップＳ１８で、撮像動作を行うキーが入力されたか否かが判断される。入力された場合は、ステップＳ１９で、撮像部１５０により撮像動作が行われ、第１制御部１９０により撮像したバーコード等のデータから電話番号又は緯度経度情報が読み取りされる。入力されていない場合は、ステップＳ２０で、第１操作部１１０が有する戻るキーが入力されたか否かが判断される。戻るキーが入力された場合は、ステップＳ１３に戻され、戻るキーが入力されない場合は、ステップＳ１８に戻される。
【００４３】
ステップＳ２１で、第１制御部１９０により読み取りされたデータが電話番号を有するか否かが判断される。電話番号を有する場合は、ステップＳ２２で、第１制御部１９０により読み取った電話番号を使って電話番号検索を行うリモコンコードが配列されたナビゲーション制御マクロが作成され、記録部１２０に記録される。
【００４４】
電話番号を有しない場合は、ステップＳ２３で、第１制御部１９０により読み取りされたデータが緯度経度情報を有するか否かが判断される。緯度経度情報を有する場合は、ステップＳ２４で、第１制御部１９０により読み取った緯度経度情報を使って緯度経度検索を行うリモコンコードが配列されたナビゲーション制御マクロが作成され、記録部１２０に記録される。
【００４５】
緯度経度情報を有しない場合は、ステップＳ２５で、第１制御部１９０により読み取りされたデータの中に、該当する情報（電話番号、及び緯度経度情報）が無い旨の表示を第１表示部１４０で行い、ステップＳ１３に戻される。
【００４６】
ステップＳ２６で、送信部１３０をリモコン受信部２３０に向け送信動作を行うキーを入力するメッセージが第１表示部１４０に表示される。
【００４７】
ステップＳ２７で、送信側電話機１００がナビゲーション制御マクロに基づくリモコン信号の送信待ち状態、すなわち第１操作部１１０が有する送信動作キーの入力待ち状態にされる。ステップＳ２８で、送信動作キーが入力されたか否かが判断される。送信動作キーが入力された場合は、ステップＳ２９で、記録部１２０に記録されたナビゲーション制御マクロに基づいてリモコン信号が順次送信され、ステップＳ１３に戻される。送信動作キーが入力されていない場合は、ステップＳ２７に戻される。送信されたリモコン信号に対応して（リモコン信号を復調して）受信側ナビゲーションシステム２００は、電話番号検索や緯度経度検索を行う。検索結果は、第２表示部２４０に表示される。検索結果表示後の操作は、第２操作部２１０を使って行われる。
【００４８】
本実施形態では、送信側電話機１００を介して簡単に受信側ナビゲーションシステム２００における位置検索を行うことが可能になる。
【００４９】
特に、複数のコマンドに対応したリモコンコードを含むリモコン信号を送る場合でも、複数のコマンドを一連の動作として順次リモコン信号を送ることが可能になる。従って、ナビゲーションシステムの位置検索操作のように、メニュー階層に沿って複数のコマンドに対応したリモコン信号を送信する場合でも、検索項目に対応した電話番号等を選択するたけで、その電話番号を使った位置検索に必要なリモコン信号を簡単に送信することが可能になる（ステップＳ２９参照）。そのため、ナビゲーションシステムに付属しているリモコン（第２操作部２１０）のように、メニュー階層毎のコマンドに対応するリモコン信号を送るための操作を１つずつ行う必要がなく、操作性は大幅に改善される。
【００５０】
また本実施形態では、電話番号、緯度経度情報、郵便番号など送信側電話機１００側がメール内容などとして有する情報を活用しての位置検索を簡単に行うことが可能になる。さらには、送信側電話機１００が有する撮像部１５０を使えば、送信側電話機１００外にある情報を読み取って位置検索を行うことが可能になる。電話番号などのデータの読み取りは送信側電話機１００で行われるため、使用者が電話番号などを視覚的に読み取って第２操作部２１０を介して手入力で受信側ナビゲーションシステム２００にリモコン信号を送るよりも間違いが起こりにくいメリットを有する。
【００５１】
また本実施形態では、送信側電話機１００で、受信側ナビゲーションシステム２００で対応できる通信プロトコルを調整するので、受信側ナビゲーションシステム２００は送信側電話機１００からのリモコン信号の受信が可能な状態にするだけでよく、特に受信側ナビゲーションシステム２００で通信プロトコルを調整する必要がない。
【００５２】
次に、ナビゲーション制御プログラムを終了させる手順、すなわちナビゲーション制御モードから通常操作モードへの切り替えを行う手順を、図４のフローチャートを使って説明する。ステップＳ５１で、第１操作部１１０が有する終了キーが入力されると、ナビゲーション制御プログラムを終了させるための割り込み動作が始められる。ステップＳ５２で、終了を確認するメッセージが第１表示部１４０に表示される。ステップＳ５３で、第１操作部１１０が有する終了動作確認キーが入力されたか否かが判断される。終了動作確認キーが入力された場合は、ステップＳ５４で、ナビゲーション制御プログラムが終了され、通常操作モードに切り替えられる。終了動作確認キーが入力されない場合は、割り込み動作が始められる前の状態に戻され、通常操作モードに切り替えられない。
【００５３】
第１操作部１１０は、ソース選択を行うキー、撮像動作を行うキー、戻るキー、送信動作キー、終了キー、及び終了動作確認キーを有するが、これらの操作キーはそれぞれ独立したキーであってもよいし、１つのキーで複数の機能のキーを兼用してもよい。
【００５４】
本実施形態では、ナビゲーション制御マクロを使って電話番号検索、緯度経度検索を行う形態を説明したが、数字で特定できる他の検索項目であってもよい。例えば、行き先を設定するために郵便番号検索を行う等である。
【００５５】
また、ナビゲーション制御マクロを作成する手順（ステップＳ１１〜Ｓ２５）と、ナビゲーション制御マクロに基づいてリモコン信号を送信する手順（ステップＳ２６〜Ｓ２９）とが順次進められる形態を説明したが、ナビゲーション制御マクロを作成し記録した後、一旦ナビゲーション制御プログラムを終了させ、リモコン信号を送信する時に再度ナビゲーション制御プログラムを立ち上げ、記録部１２０からナビゲーション制御マクロを読み出してリモコン信号を送信する形態であってもよい。これにより、予めナビゲーション制御マクロを作成しておき、行き先設定などの際に即座にナビゲーション制御マクロを利用することが可能になる。また、受信側ナビゲーションシステム２００の機種に対応して幾つかのナビゲーション制御マクロを作成しておくことも可能になる。
【００５６】
また、電話番号や緯度経度情報は、第１制御部１９０による読み取りによって行われる形態を説明したが、ステップＳ１６が行われる時に使用者により第１操作部１１０のテンキーなどを操作することにより直接入力されてもよい。
【図面の簡単な説明】
【００５７】
【図１】本実施形態における送信側電話機、受信側ナビゲーションシステムの構成図である。
【図２】送信側電話機、受信側ナビゲーションシステムのブロック図である。
【図３】送信側電話機におけるリモコン信号の送信手順を示すフローチャートである。
【図４】送信側電話機におけるナビゲーション制御プログラムの終了手順を示すフローチャートである。
【符号の説明】
【００５８】
１００  送信側電話機
１１０  第１操作部
１２０  記録部
１３０  送信部
１４０  第１表示部
１５０  撮像部
１９０  第１制御部
２００  受信側ナビゲーションシステム
２１０  第２操作部
２２０  計測部
２３０  リモコン受信部
２４０  第２表示部
２９０  第２制御部
【図１】
2007166503.tif 000003
【図２】
2007166503.tif 000004
【図３】
2007166503.tif 000005
【図４】
2007166503.tif 000006